(57)【特許請求の範囲】
【請求項１】
ほぼ長方形板に果実収容凹部を隣接形成し、
隣接する上記凹部間に鞍状隔壁を形成し、
上記隔壁の交差凸部上面に該隔壁の延長方向溝を開口し、
該延長方向溝が３又は４個であって上記凸部上面の中央溝を介して該方向溝を連通し、該中央溝と上記方向溝との間にアールを形成してなり、かつ上記隔壁の鞍状部に沿って上記方向溝の方向に弦部を有し、該弦部でその両端に開口する方向溝を突張って接続する弧状壁を形成してなる果実用パルプモールドトレー。
【請求項２】
上記弧状壁を任意位置及び任意数において一部切欠いた請求項１記載の果実用パルプモールドトレー。
【発明の詳細な説明】
【０００１】
【発明の属する技術分野】
本発明は果実用パルプモールドトレーの強化と収容した果実に損傷を与えず異形果実でも収納し易くする技術に関するものである。
【０００２】
【従来の技術】
従来、ほぼ長方形パルプモールド板１にほぼ半球状の果実収容凹部２を複数隣接させてなる長方形トレーにおいて、該凹部２に梨等の果実９を収容し、トレーの両端１’，１’を把持してこれを持上げ、そのまま段ボール箱内に積重又は積層する際に、該トレーは中央部が果実の重量により下方に弯曲するため収容果実９は上記凹部２の硬い隔壁交差凸部４に圧接して損傷を受け易いという欠陥があった。
【０００３】
【発明が解決しようとする課題】
本発明は上記長方形トレーの凹部２に梨等の果実９を収容してトレーの両端１’，１’を両手で持上げることによりトレーが下方に弯曲した場合でも凹部隔壁交差凸部４が圧接する果実９に対応して圧接を緩和し、果実９の圧損を軽減し、さらに上記トレーを補強してトレー自体の弯曲を軽減すること、抄製乾燥時の変形を修正し、
及び空トレーの積重間隙Ｔを確保することを目的とする。
【０００４】
【課題を解決するための手段】
上記の目的を達成するため本発明は
第１にほぼ長方形板に果実収容凹部を隣接形成し、隣接する上記凹部間に鞍状隔壁を形成し、上記隔壁の交差凸部上面に該隔壁の延長方向溝を開口し、該延長方向溝が３又は４個であって上記凸部上面の中央溝を介して該方向溝を連通し、該中央溝と上記方向溝との間にアールを形成してなり、かつ上記隔壁の鞍状部に沿って上記方向溝の方向に弦部を有し、該弦部でその両端に開口する方向溝を突張って接続する弧状壁を形成してなる果実用パルプモールドトレー、
第２に上記弧状壁を任意位置及び任意数において一部切欠いた上記第１発明記載の果実用パルプモールドトレー、
によって構成される。
【０００５】
【発明の実施の形態】
隅角部にアールｒを形成したパルプモールド製長方形板１に複数のほぼ半球状凹部を抄製して梨等の果実収容凹部２として、これらを隣接形成する。
【０００６】
図１、図２に示すように４個隣接の場合と図７に示すように３個隣接の場合について説明する。
【０００７】
隣接する果実収容凹部２，２間に鞍状の隔壁３を抄製する。この隔壁３は図１、図２に示すように４条交差し、又は図７に示すように３条交差する。
【０００８】
交差部は各隔壁３が上向凹弧状（鞍状）であるため端部が上方に向い交差部に凸部４を形成する。
【０００９】
上記交差凸部４の上面には上記隔壁３の延長方向に向う溝５を形成し、該溝５を上記隔壁３に向って開口５”する。
【００１０】
上記延長方向溝５は上記凹部２の４個隣接部では４条（図１、図２）、３個隣接部では３条（図７）となる。
【００１１】
上記交差凸部４の上面には中央溝６を形成し、この中央溝６に上記３〜４条の方向溝５を溝底を同一水準に放射状連通させる。
【００１２】
上記中央溝６と各方向溝５とは溝の底面５’の厚さをほぼ同一とし、かつ長方形板１の厚さとほぼ同一厚さに抄製する。中央溝６と各方向溝５との間即ち境界部にアールＲを形成し、上記凸部４の上面を４個（図１、図２）又は３個の三日月形４’に分割する。
【００１３】
又上記隔壁３の鞍状部３’に該隔壁３に沿って上記方向溝５の方向に弦部７を有する弧状壁８を形成し、該弦部７でその両端に開口５”，５”する方向溝５，５を突っ張って接続する。
【００１４】
上記方向溝５の底面５’の水準と上記弦部７の上面の水準とが上記開口５”，５”において多少の段差を形成しても差支えなく、かつ上記弧状壁８を任意位置及び任意数とすることによって長方形板１の抄製乾燥時において該長方形板１の弯曲をなくし平坦に抄製することができる。任意位置の弧状壁８を一部切欠８’（図２）することによって加温乾燥時の変形は緩和される。
【００１５】
従って果実収容凹部２に図４仮想線で示すように梨等の果実９を収容し、ほぼ長方形板１の両端部１’，１’を両手で把持して持ち上げると、
上記長方形板１は中央部が下方に弯曲しようとするが鞍状隔壁３の鞍状部３’の弧状壁８が鞍状部３’（上向凹弧状部）の対向方向への圧縮を突っ張って阻止するため上記長方形板１は全体的に下方への弯曲が抑制される。
【００１６】
そのため上記交差凸部４，４は対向方向（上記長方形板１の長手方向）への近接が軽減され、凹部２内の果実９への押圧を軽減する。
【００１７】
その状態でなお交差凸部４，４が対向方向に近接することによって凹部２内の果実９が図４矢印ａ方向に圧接したとしても上記凸部４の上面の三日月形４’が中央溝６側に移動して果実９への三日月形４’の押圧を緩和する。
【００１８】
又空の上記長方形板１，１を積重又は積層すると図６に示すように弦部７の上面が上層の鞍状部３’の下面に接し、上下の隔壁３，３間に弧状壁８の高さに相当する間隙Ｔを保持することができる。
【００１９】
【発明の効果】
本発明は上述のように構成したので、果実収容凹部に果実を収容し、ほぼ長方形板の両端を把持して、これを持ち上げると、長方形板の中央部が果実の重量で下方に弯曲しようとするが、隔壁の鞍部に形成した弧状壁の弦部が突っ張りとなって上記弯曲を阻止し得るばかりでなく、若干弯曲して交差凸部が対向方向に近接して凹部内の果実に圧接しても上記中央溝及び上記方向溝内に凸部上面が変位して果実への押圧力を緩和し得て果実への損傷を防止し得る効果がある。
【００２０】
又その上に弧状壁の弦部が上層の鞍状壁下面に接して弧状壁の高さに相当する間隙を上下層間に介在させ、それによって上下層の密着を防止し、分離が容易となり、かつ機械分離機に掛けて容易に上下層を分離し得る効果がある。
【００２１】
さらに上記長方形板の抄製乾燥時における加温による変形を防止することができる。
【図面の簡単な説明】
【図１】本発明の果実用パルプモールドトレーの一部平面図である。
【図２】図１の一部斜視図である。
【図３】図１の一部拡大平面図である。
【図４】果実収容凹部の縦断面図である。
【図５】弧状壁及び鞍状隔壁の拡大正面図である。
【図６】弧状壁による積層間隙説明図である。
【図７】果実収容凹部３個隣接状態の一部平面図である。
【図８】従来の果実収容凹部の縦断面図である。
【図９】従来の鞍状隔壁の拡大正面図である。
【図１０】従来の果実収容凹部の積層状態の縦断面図である。
【符号の説明】
１      ほぼ長方形板
２      果実収容凹部
３      鞍状隔壁
３’    鞍状部
４      交差凸部
５      延長方向溝
５’    底面
５”    開口
６      中央溝
Ｒ      アール
７      弦部
８      弧状壁
【図１】
0003848591.tif 000002
【図２】
0003848591.tif 000003
【図３】
0003848591.tif 000004
【図４】
0003848591.tif 000005
【図５】
0003848591.tif 000006
【図６】
0003848591.tif 000007
【図７】
0003848591.tif 000008
【図８】
0003848591.tif 000009
【図９】
0003848591.tif 000010
【図１０】
0003848591.tif 000011